(57)【要約】【課題】識別表示を設けるために、識別表示の異なる包装容器をそれぞれ用意する必要も、また、異なる識別表示を設けたラベルをそれぞれ用意する必要もない包装容器を提供する。【解決手段】紙箱からなる包装容器１００であって、紙箱が、底面板と、底面板の周端部より立ち上がる、左右に設けられた左側面板９と右側面板１０と、前後に設けられた正面板１と背面板と、背面板の反対側の端部から延設された蓋面板４と、蓋面板の反対側の端部から延設された正面カバー片５を有し、正面カバー片に異なる複数の識別表示Ａ、Ｂが、それぞれ切取用易切断線ａ、ｂにより切り取り可能に設けられ、必要な識別表示のみを残して、他の識別表示が易切断線を切断して取り去ることが可能である。【選択図】図１
2015151147.tif 000002
【特許請求の範囲】
【請求項１】
あらかじめ一体として設けられた、異なる複数の識別表示の内、必要な識別表示のみを残して、他の識別表示が取り去ることが可能であることを特徴とする包装容器。
【請求項２】
紙箱からなる包装容器であって、あらかじめ一体として設けられた、異なる複数の識別表示が、それぞれ易切断線により切り取り可能に設けられ、必要な識別表示のみを残して、他の識別表示が前記易切断線を切断して取り去ることが可能であることを特徴とする包装容器。
【請求項３】
前記紙箱が、底面板と、該底面板の周端部より立ち上がる、左右の面板と、前後に設けられた正面板と背面板と、該背面板の反対側の端部から延設された蓋面板と、該蓋面板の反対側の端部から延設された正面カバー片を有し、該正面カバー片の端部に複数の前記識別表示が設けられていることを特徴とする請求項２に記載の包装容器。
【発明の詳細な説明】
【技術分野】
【０００１】
本発明は、包装容器に関するものである。
【背景技術】
【０００２】
コンタクトレンズにはハードコンタクトレンズとソフトコンタクトレンズがあるが、このうちソフトコンタクトレンズは、水分を含む性質の樹脂からできているものが流通している。この性質から、たんぱく質などの涙の成分や汚れが付きやすいという欠点がある。
【０００３】
このため、１日や1週間など手入れをせずに使用して捨ててしまう使い捨てタイプや、毎日レンズをはずすたびに若干の手入れを行って使用し、２週間以内使用して廃棄する頻回交換タイプや、それよりも長く３ヶ月以内使用して廃棄する定期交換タイプなどがある。これらのものを総称して、使い捨てコンタクトレンズと呼ぶことがある。
【０００４】
このような、コンタクトレンズは、ブリスターパックに水溶液とともに密封され、複数のブリスターパックを収納する紙箱などの包装容器に入れられて提供されているものが一般的である（例えば、特許文献１）。
【０００５】
ところで、コンタクトレンズは医師の処方に従って購入することになるが、同じ人が右目と左目で同じレンズが処方されることはほとんどなく、右目用と左目用と別々に処方される。そして、購入したコンタクトレンズの包装容器には、同じ形式の包装容器に、右目用あるいは左目用とわかるように識別表示されたラベルを貼着されているのが一般的である。
【０００６】
これは、もともと各個人用に処方されたコンタクトレンズを処方毎に包装容器に収納するときに、ラベルを貼着させるから、あまり手間がかからず問題にはならなかった。
【０００７】
また、右目用あるいは左目用と印刷による識別表示を設けた包装容器を用いることは、別々に包装容器を製造することや、できた包装容器の在庫の管理にわずらわしさがあり、コスト的にも有利にならなかった。しかし、ラベルを貼着させるのは、ラベル自体にコストもかかり、また、ラベルを貼る手間もかかるのは事実であった。
【０００８】
公知文献を以下に示す。
【先行技術文献】
【特許文献】
【０００９】
【特許文献１】特開平８−５９７１号公報
【発明の概要】
【発明が解決しようとする課題】
【００１０】
本発明は上記のような事情に鑑みてなされたもので、識別表示を設けるために、識別表示の異なる包装容器をそれぞれ用意する必要も、また、異なる識別表示を設けたラベルをそれぞれ用意する必要もない包装容器を提供することを課題とする。
【課題を解決するための手段】
【００１１】
本発明は係る課題に鑑みなされたものであり、請求項１の発明は、あらかじめ一体として設けられた、異なる複数の識別表示の内、必要な識別表示のみを残して、他の識別表示が取り去ることが可能であることを特徴とする包装容器である。
【００１２】
本発明の請求項２の発明は、紙箱からなる包装容器であって、あらかじめ一体として設けられた、異なる複数の識別表示が、それぞれ易切断線により切り取り可能に設けられ、必要な識別表示のみを残して、他の識別表示が前記易切断線を切断して取り去ることが可能であることを特徴とする包装容器である。
【００１３】
本発明の請求項３の発明は、前記紙箱が、底面板と、該底面板の周端部より立ち上がる、左右の面板と、前後に設けられた正面板と背面板と、該背面板の反対側の端部から延設された蓋面板と、該蓋面板の反対側の端部から延設された正面カバー片を有し、該正面カバー片の端部に複数の前記識別表示が設けられていることを特徴とする請求項２に記載の包装容器である。
【発明の効果】
【００１４】
本発明の包装容器は、識別表示を設けるために、識別表示の異なる包装容器をそれぞれ用意する必要も、また、異なる識別表示を設けたラベルをそれぞれに用意して貼着する必要もない。
【００１５】
請求項２の発明によれば、易切断線で識別表示が切り取り可能に設けられているので、必要な識別表示以外を、容易に切り取って取り去ることができる。
【００１６】
請求項３の発明によれば、蓋面板の端部から延設された正面カバー片の端部に識別表示が設けられているので、簡単に切り取ることができる。
【図面の簡単な説明】
【００１７】
【図１】本発明の包装容器の第１の実施形態の紙箱を模式的に斜視で示した説明図である。
【図２】本発明の包装容器の第１の実施形態の紙箱のブランクを模式的に示した説明図である。
【図３】本発明の包装容器の第１の実施形態の紙箱を模式的に正面で示した説明図である。
【図４】本発明の包装容器の第１の実施形態の紙箱を模式的に右側面で示した説明図である。
【図５】本発明の包装容器の第１の実施形態の紙箱を模式的に背面で示した説明図である。
【図６】本発明の包装容器の第１の実施形態の紙箱の一方の識別表示が切り取られた状態を模式的に斜視で示した説明図である。
【図７】本発明の包装容器の第１の実施形態の紙箱を開封した状態を模式的に斜視で示した説明図である。
【図８】本発明の包装容器の第１の実施形態の紙箱を再封した状態を模式的に斜視で示した説明図である。
【図９】本発明の包装容器の第２の実施形態の紙箱を模式的に斜視で示した説明図である。
【図１０】本発明の包装容器の第２の実施形態の紙箱のブランクを模式的に示した説明図である。
【図１１】本発明の包装容器の第２の実施形態の紙箱を模式的に正面で示した説明図である。
【図１２】本発明の包装容器の第２の実施形態の紙箱を模式的に右側面で示した説明図である。
【図１３】本発明の包装容器の第２の実施形態の紙箱を模式的に背面で示した説明図である。
【図１４】本発明の包装容器の第２の実施形態の紙箱の一方の識別表示が切り取られた状態を模式的に斜視で示した説明図である。
【図１５】本発明の包装容器の第２の実施形態の紙箱を開封した状態を模式的に斜視で示した説明図である。
【図１６】本発明の包装容器の第２の実施形態の紙箱を再封した状態を模式的に斜視で示した説明図である。
【発明を実施するための形態】
【００１８】
＜第１の実施形態＞
以下、本発明を実施するための第１の実施形態につき説明する。
図１は、本発明の包装容器の第１の実施形態の紙箱を模式的に斜視で示した説明図、図２は、本発明の包装容器の第１の実施形態の紙箱のブランクを模式的に示した説明図、図３は、本発明の包装容器の第１の実施形態の紙箱を模式的に正面で示した説明図、図４は、本発明の包装容器の第１の実施形態の紙箱を模式的に右側面で示した説明図、図５は、本発明の包装容器の第１の実施形態の紙箱を模式的に背面で示した説明図、図６は、本発明の包装容器の第１の実施形態の紙箱の一方の識別表示が切り取られた状態を模式的に斜視で示した説明図、図７は、本発明の包装容器の第１の実施形態の紙箱を開封した状態を模式的に斜視で示した説明図、図８は、本発明の包装容器の第１の実施形態の紙箱を再封した状態を模式的に斜視で示した説明図である。
【００１９】
第１の実施形態の包装容器１００は、図１に示すような紙箱である。包装容器１００の紙箱は、蓋面板４に延設された正面カバー片５が正面板１に部分的に貼着されていて、正面カバー片５の左右にそれぞれ第１の識別表示Ａと、第２の識別表示Ｂが、切取用易切断線ａ、ｂにより切り取り可能に設けられている。識別表示は、印刷により設けても良いし、エンボスなどにより設けても良い。特に認識できるように表示されれば、之にこだわるものではない。
【００２０】
この包装容器１００は、図２に示すようなブランク１０１を折り曲げ、貼着して組み立てられる。ブランク１０１は左右中央に図の上から正面板１、底面板２、背面板３、蓋面板４、正面カバー片５が、それぞれ折罫を介して設けられている。
【００２１】
正面板１には、開封開始用易切断線６を介して正面貼着片７が設けられ、また、くぼみ部８が設けられている。くぼみ部８は、ブランク１０１を打ち抜くときに、同時に押圧して設けることができる。
【００２２】
包装容器１００では、正面板１の左右に左側カバー片９と右側カバー片１０が設けられている。また、底面板２の左右には、底左側貼着片１１と底右側貼着片１２が設けられている。
【００２３】
背面板３の左右には、左側面板１３と右側面板１４が設けられている。また、紙箱を廃棄するときに、解体しやすいように、廃棄用易切断線１５、１６が、それぞれ左側面板１３や右側面板１４の上下端部より湾曲して、背面板３にかかって設けられていて、背面板３にかかった廃棄用易切断線１５、１６を指で押し込んで切断して、左側面板１３や右側面板１４を背面板３と分離させ、解体しやすくなっている。
【００２４】
蓋面板４の左右には、蓋左側貼着片１７、蓋右側貼着片１８がそれぞれ、蓋開封用易切断線１９、２０を介して設けられている。
【００２５】
正面カバー片５の左右の隅部には、第１の識別表示Ａと第２の識別表示Ｂがそれぞれ、切取用易切断線ａ、ｂを介して設けられ、それぞれ切り取り可能に設けられている。また
、正面カバー片５の下端の左右中央は、下方に出っ張った出っ張り部２１が設けられている。
【００２６】
このブランク１０１より、包装容器１００の紙箱を組み立てるには、先ず、底左側貼着片１１、底右側貼着片１２、蓋左側貼着片１７、蓋右側貼着片１８を内側に折罫で折り曲げておく。
【００２７】
背面板３と底面板２の間を内側に直角に折り、また、背面板３と蓋面板４の間も内側に直角に折る。そして、左側面板１３と右側面板１４を内側に直角に折り、先に折り曲げておいた底左側貼着片１１、底右側貼着片１２、蓋左側貼着片１７、蓋右側貼着片１８の外面に重ねて貼着する。
【００２８】
次に、正面板１を底面板２との間で直角に折る。そして、左側カバー片９と右側カバー片１０をそれぞれ、直角に折って、左側面板１３、右側面板１４の外面に重ねて貼着する。そして、正面カバー片５を正面板１に重なるように折って、正面貼着片７を正面カバー片５に貼着する。
【００２９】
これにより、包装容器１００は図１の斜視図、図３の正面図、図４の右側面図、図５の背面図のように、組み立てられる。尚、収納物を収納するのは、正面板１を底面板２との間で直角に折るより前に行う。
【００３０】
また、第１の識別表示Ａ、あるいは、第２の識別表示Ｂを、切取用易切断線ａ、あるいは、切取用易切断線ｂで切断して、切り取るのは、正面貼着片７を正面カバー片５に貼着するより前に行ったほうが切り取りやすい。尚、収納物を収納した前後で切り取るほうが、間違いを起こす心配がない。図６に、一方の識別表示が切り取られた状態の斜視図を示す。
【００３１】
図６のような本実施形態の包装容器１００を開封するには、先ず、出っ張り部２１の内側に指を掛けて手前に引っ張るようにして、正面カバー片５を持ち上げる。このときくぼみ部８が出っ張り部２１の裏側に設けられているので、容易に出っ張り部２１に指を掛けることができる。
【００３２】
出っ張り部２１を手前に引っ張るようにして持ち上げると、開封開始用易切断線６が切断される。そして、正面カバー片５に貼着されている正面貼着片７が、正面板１から切り離され、正面カバー片５が正面貼着片７を貼着したまま持ち上がる。
【００３３】
そして、蓋開封用易切断線１９、２０が切断され、蓋左側貼着片１７と蓋右側貼着片１８が、左側面板１３、右側面板１４に貼着して残ったまま、図７のように、蓋面板４が持ち上げられ、内容物が取り出せるように開封される。
【００３４】
内容物の一部を取り出した後、再封するには、蓋面板４を倒し、正面カバー片５を正面板１に重なるようにして、正面カバー片５の出っ張り部２１を、正面貼着片７を切り取ることにより正面板１の左右中央上端にできた山型の凸部の下に差し込んで、開かないように係止する。これにより、包装容器１００は、図８のように再封することができる。
【００３５】
＜第２の実施形態＞
以下、本発明を実施するための第１の実施形態につき説明する。
図９は、本発明の包装容器の第２の実施形態の紙箱を模式的に斜視で示した説明図、図１０は、本発明の包装容器の第２の実施形態の紙箱のブランクを模式的に示した説明図、図１１は、本発明の包装容器の第２の実施形態の紙箱を模式的に正面で示した説明図、図１２は、本発明の包装容器の第２の実施形態の紙箱を模式的に右側面で示した説明図、図１３は、本発明の包装容器の第２の実施形態の紙箱を模式的に背面で示した説明図、図１４は、本発明の包装容器の第２の実施形態の紙箱の一方の識別表示が切り取られた状態を模式的に斜視で示した説明図、図１５は、本発明の包装容器の第２の実施形態の紙箱を開封した状態を模式的に斜視で示した説明図、図１６は、本発明の包装容器の第２の実施形態の紙箱を再封した状態を模式的に斜視で示した説明図である。
【００３６】
第２の実施形態の包装容器２００は、図９の斜視図に示すような紙箱である。包装容器２００の紙箱も、包装容器１００の紙箱と同様に、蓋面板４に延設された正面カバー片５が正面板１に部分的に貼着されていて、正面カバー片５の左右にそれぞれ第１の識別表示Ａと、第２の識別表示Ｂが、切取用易切断線ａ、ｂにより切り取り可能に設けられている。
【００３７】
識別表示は、印刷により設けても良いし、エンボスなどにより設けても良い。特に認識できるように表示されれば、これにこだわるものではない。
【００３８】
この包装容器２００は、図１０に示すようなブランク２０１を折り曲げ、貼着して組み立てられる。ブランク２０１は、ブランク１０１と同様に、左右中央に図の上から正面板１、底面板２、背面板３、蓋面板４、正面カバー片５が、それぞれ折罫を介して設けられている。そして、正面板１には、開封開始用易切断線６を介して正面貼着片７が設けられている。
【００３９】
包装容器２００のブランク２０１では、ブランク１０１と異なり、正面板１には、貫通孔３１が設けられている。貫通孔３１は、ブランク２０１を打ち抜くときに、同時に打ち抜いて設けることができる。
【００４０】
包装容器２００では、正面板１の左右に正面左側貼着片３２と正面右側貼着片３３が設けられている。また、底面板２の左右には、左側面板３４と右側面板３５が設けられている。
【００４１】
そして、紙箱を廃棄するときに、解体しやすいように、廃棄用易切断線３６、３７が、それぞれ左側面板３４や右側面板３５の上下端部より湾曲して、底面板２にかかって設けられていて、底面板２にかかった廃棄用易切断線３６、３７を指で押し込んで切断して、左側面板３４や右側面板３５を底面板２と分離させ、解体しやすくなっている。
【００４２】
背面板３の左右には、背面左側貼着片３８と背面右側貼着片３９が設けられている。蓋面板４の左右には、左側カバー片４０、右側カバー片４１がそれぞれ、蓋開封用易切断線４２、４３を介して設けられている。
【００４３】
正面カバー片５の左右の隅部には、第１の識別表示Ａと第２の識別表示Ｂがそれぞれ、切取用易切断線ａ、ｂを介して設けられ、それぞれ切り取り可能に設けられている。
【００４４】
さらに、正面カバー片５の下端の左右中央には、切り欠きによって、つまみ片４４が設けられていて、つまみ片４４の上端は、切り込みにより上方に凸の係止片４５が設けられている。また、つまみ片４４には横方向の押罫による滑り止め４６が設けられている。
【００４５】
このブランク２０１より、包装容器２００の紙箱を組み立てるには、先ず、正面左側貼着片３２、正面右側貼着片３３、背面左側貼着片３８、背面右側貼着片３９を内側に折罫で折り曲げておく。
【００４６】
底面板２と正面板１の間を内側に直角に折り、また、底面板２と背面板３の間も内側に直角に折る。そして、左側面板３４と右側面板３５を内側に直角に折り、先に折り曲げておいた正面左側貼着片３２、背面左側貼着片３８、正面右側貼着片３３、背面右側貼着片３９の外面に重ねて貼着する。
【００４７】
次に、背面板３と蓋面板４との間で直角に折る。そして、左側カバー片４０と右側カバー片４１をそれぞれ、直角に折って、左側面板３４、右側面板３５の外面に重ねて貼着する。そして、正面カバー片５を正面板１に重なるように折って、正面貼着片７を正面カバー片５に貼着する。
【００４８】
これにより、包装容器２００は、図９の斜視図、図１１の正面図、図１２の右側面図、図１３の背面図のように、組み立てられる。尚、収納物を収納するのは、背面板３と蓋面板４との間で直角に折るより前に行う。
【００４９】
また、第１の識別表示Ａ、あるいは、第２の識別表示Ｂを、切取用易切断線ａ、あるいは、切取用易切断線ｂで切断して、切り取るのは、正面貼着片７を正面カバー片５に貼着するより前に行ったほうが切り取りやすい。尚、収納物を収納した前後で切り取るほうが、間違いを起こす心配がない。図１４に、一方の識別表示が切り取られた状態の包装容器２００の斜視図を示す。
【００５０】
図１４のような本実施形態の包装容器２００を開封するには、先ず、つまみ片４４をもって手前に引っ張るようにして、正面カバー片５を持ち上げる。このとき、つまみ片４４には滑り止め４６が設けられているので、つまみ片４４が持ちやすく、容易に引っ張ることができる。
【００５１】
つまみ片４４を手前に引っ張るようにして持ち上げると、正面カバー片５も持ち上がり、開封開始用易切断線６が切断される。そして、正面カバー片５に貼着されている正面貼着片７が、正面板１から切り離され、正面カバー片５が正面貼着片７を貼着したまま持ち上がる。
【００５２】
そして、蓋開封用易切断線４２、４３が切断され、左側カバー片４０、右側カバー片４１が、左側面板３４、右側面板３５に貼着して残ったまま、図１５のように、蓋面板４が持ち上げられ、内容物が取り出せるように開封される。
【００５３】
内容物の一部を取り出した後、再封するには、蓋面板４を倒し、正面カバー片５を正面板１に重なるようにして、正面カバー片５のつまみ片４４の上端に切り込みにより設けられた係止片４５を貫通孔３１より内側に差し込んで係止する。これにより、包装容器２００は、図１６のように再封することができる。
【００５４】
以上のように、本発明の包装容器は、識別表示を設けるために、識別表示の異なる包装容器をそれぞれ用意する必要も、また、異なる識別表示を設けたラベルをそれぞれに用意して貼着する必要もなく、あらかじめ一体として設けられた、異なる複数の識別表示の内から、必要な識別表示のみを残して、他の識別表示が取り去るだけで、識別された表示を設けることができる。
【００５５】
また、第１の実施形態や第２の実施形態の本発明の包装容器によれば、易切断線で識別表示が切り取り可能に設けられているので、必要な識別表示以外を、容易に切り取って取り去ることができる。
【００５６】
さらに、蓋面板の端部から延設された正面カバー片の端部に識別表示が設けられている
ので、簡単に切り取ることができる。
【符号の説明】
【００５７】
１００、２００・・・包装容器
１０１、２０１・・・ブランク
Ａ・・・第１の識別表示
Ｂ・・・第２の識別表示
ａ、ｂ・・・切取用易切断線
１・・・正面板
２・・・底面板
３・・・背面板
４・・・蓋面板
５・・・正面カバー片
６・・・開封開始用易切断線
７・・・正面貼着片
８・・・くぼみ部
９、４０・・・左側カバー片
１０、４１・・・右側カバー片
１１・・・底左側貼着片
１２・・・底右側貼着片
１３、３４・・・左側面板
１４、３５・・・右側面板
１５、１６、３６、３７・・・廃棄用易切断線
１７・・・蓋左側貼着片
１８・・・蓋右側貼着片
１９、２０、４２、４３・・・蓋開封用易切断線
２１・・・出っ張り部
３１・・・貫通孔
３２・・・正面左側貼着片
３３・・・正面右側貼着片
３８・・・背面左側貼着片
３９・・・背面右側貼着片
４４・・・つまみ片
４５・・・係止片
４６・・・滑り止め
【図１】
2015151147.tif 000003
【図２】
2015151147.tif 000004
【図３】
2015151147.tif 000005
【図４】
2015151147.tif 000006
【図５】
2015151147.tif 000007
【図６】
2015151147.tif 000008
【図７】
2015151147.tif 000009
【図８】
2015151147.tif 000010
【図９】
2015151147.tif 000011
【図１０】
2015151147.tif 000012
【図１１】
2015151147.tif 000013
【図１２】
2015151147.tif 000014
【図１３】
2015151147.tif 000015
【図１４】
2015151147.tif 000016
【図１５】
2015151147.tif 000017
【図１６】
2015151147.tif 000018